【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
素材と該素材に向かって進む溶接ワイヤとの間のギャップの間で第一または第二の溶接処理を生ずるためのコントローラを備えた高速スイッチング電源及び第一の電流波形を使用する該第一の溶接処理と第二の電流波形を使用する該第二の溶接処理との間をシフトするための回路を含み、該回路は該第一及び第二の処理の該波形をカウントするためのカウンタ及び処理されている該溶接処理の該波形のカウントが該溶接処理に関そ予め選択された数に達したとき処理されている処理から他の溶接処理にシフトする回路を含み、且つ該第一の溶接処理がＳＴＴ処理又はＣＶスプレイ処理であることを特徴とする電気アークＧＭＡＷ溶接機。
【請求項２】
該第一の溶接処理が低温ＳＴＴ処理である請求項１の電気アーク溶接機。
【請求項３】
該第二の溶接処理が高温ＳＴＴ処理である請求項１の電気アーク溶接機。
【請求項４】
該第二の処理がＳＴＴ処理である請求項１の電気アーク溶接機。
【請求項５】
該第二の処理がショート・アークＣＶ処理である請求項１の電気アーク溶接機。
【請求項６】
該第二の処理がパルス溶接処理である請求項１の電気アーク溶接機。
【請求項７】
該第一の処理が閉じた電源フィードバックループを備えた溶接処理である請求項１の電気アーク溶接機。
【請求項８】
該第一の処理が高温処理である請求項１の電気アーク溶接機。
【請求項９】
該第二の処理が低温処理である請求項１の電気アーク溶接機。
【請求項１０】
該予め選択された数が、該第一の処理と第二の処理との両者の間に本質的に同じである請求項１の電気アーク溶接機。
【請求項１１】
パルス波溶接処理及びＳＴＴ溶接処理を発生するコントローラを備えた高速スイッチング電源、アーク電圧がショートを示す値より低いときショート信号を発生するように作動する回路、並びに該ショート信号の発生により生ずる処理シフト信号によって該パルス波処理から該ＳＴＴ処理に該コントローラをシフトするスイッチを含むことを特徴とする電気アーク溶接機。
【請求項１２】
該ショート信号が所定の時間保持されるときのみ該シフト信号を発生するタイマーを含む請求項１１の電気アーク溶接機。
【請求項１３】
該時間がおおよそ１．０ｍｓより長い請求項１２の電気アーク溶接機。
【請求項１４】
該時間が０．２−０．５ｍｓの大体の範囲の設定時間より長い請求項１２の電気アーク溶接機。
【請求項１５】
素材と該素材に向かって進む溶接ワイヤとの間のギャップの間で第一の電流波形を使用する第一の溶接処理または第二の電流波形を使用する第二の溶接処理を生ずるためのコントローラを備えた高速スイッチング電源を含み、且つ該第一の溶接処理がＳＴＴ処理又はＣＶスプレイ処理である電気アークＧＭＡＷ溶接機を操作する方法であって、該方法が
（ａ）該第一の溶接処理と該第二の溶接処理との間をシフトし、
（ｂ）該第一及び第二の処理の該波形をカウントし、そして
（ｃ）処理されている該溶接処理の該波形のカウントが該溶接処理に関し予め選択された数に達したとき処理されている処理から他の溶接処理にシフトする
ことを特徴とする電気アークＧＭＡＷ溶接機を操作する方法。
【請求項１６】
該第一の溶接処理が低温ＳＴＴ処理である請求項１５の方法。
【請求項１７】
該第二の溶接処理が高温ＳＴＴ処理である請求項１５の方法。
【請求項１８】
該第二の処理がＳＴＴ処理である請求項１５の方法。
【請求項１９】
該第二の処理がショート・アークＣＶ処理である請求項１５の方法。
【請求項２０】
該第二の処理がパルス溶接処理である請求項１５の方法。
【請求項２１】
該第一の処理が閉じた電源フィードバックループを備えた溶接処理である請求項１５の方法。
【請求項２２】
該第一の処理が高温処理である請求項１５の方法。
【請求項２３】
該第二の処理が低温処理である請求項１５の方法。
【請求項２４】
該予め選択された数が、該第一の処理と第二の処理との両者の処理中本質的に同じである請求項１５の方法。
【請求項２５】
パルス波溶接処理及びショートクリア溶接処理を発生するコントローラを備えた高速スイッチング電源を含む電気アーク溶接機を操作する方法であって、該方法は
（ａ）アーク電圧がショートを示す値より低いときショート信号を発生し、そして
（ｂ）該ショート信号の発生により生ずる処理シフト信号によって該パルス波処理からショートクリア処理に該コントローラをシフトする
ことを特徴とする電気アーク溶接機を操作する方法。
【請求項２６】
（ｃ）該ショート信号が所定の時間保持されたときのみ該シフト信号を発生することを含む請求項２５の方法。
【請求項２７】
該時間がおおよそ１．０ｍｓより長い請求項２６の方法。
【請求項２８】
該時間が０．２−０．５ｍｓの大体の範囲の設定時間より長い請求項２６の方法。
【請求項２９】
素材と該素材に向かって進む溶接ワイヤとの間のギャップの間で第一または第二の溶接処理を生ずるためのコントローラを備えた高速スイッチング電源及び第一の電流波形を使用する該第一の溶接処理と第二の電流波形を使用する該第二の溶接処理との間をシフトするための回路を含み、該回路は該第一及び第二の処理の該波形をカウントするためのカウンタ及び処理されている該溶接処理の該波形のカウントが該溶接処理に関そ予め選択された数に達したとき処理されている処理から他の溶接処理にシフトする回路を含み、且つ該第二の溶接処理がＳＴＴ処理又はショート・アークＣＶ処理であることを特徴とする電気アークＧＭＡＷ溶接機。
【請求項３０】
該第一の溶接処理が低温ＳＴＴ処理である請求項２９の電気アーク溶接機。
【請求項３１】
該第二の溶接処理が高温ＳＴＴ処理である請求項２９の電気アーク溶接機。
【請求項３２】
該第一の処理がＣＶスプレイ処理である請求項２９の電気アーク溶接機。
【請求項３３】
該第一の処理が閉じた電源フィードバックループを備えた溶接処理である請求項２９の電気アーク溶
【請求項３４】
該第一の処理が高温処理である請求項２９の電気アーク溶接機。
【請求項３５】
該第二の処理が低温処理である請求項２９の電気アーク溶接機。
【請求項３６】
該予め選択された数が、該第一の処理と第二の処理との両者の間に本質的に同じである請求項２９の電気アーク溶接機。
【請求項３７】
素材と該素材に向かって進む溶接ワイヤとの間のギャップの間で第一または第二の溶接処理を生ずるためのコントローラを備えた高速スイッチング電源及び第一の電流波形を使用する該第一の溶接処理と第二の電流波形を使用する該第二の溶接処理との間をシフトするための回路を含み、該回路は該第一及び第二の処理の該波形をカウントするためのカウンタ及び処理されている該溶接処理の該波形のカウントが該溶接処理に関そ予め選択された数に達したとき処理されている処理から他の溶接処理にシフトする回路を含み、且つ該第一の溶接処理が閉じた電源フィードバックループを備えた高温処理であることを特徴とする電気アークＧＭＡＷ溶接機。
【請求項３８】
該第一の溶接処理が低温ＳＴＴ処理である請求項３７の電気アーク溶接機。
【請求項３９】
該第二の溶接処理が高温ＳＴＴ処理である請求項３７の電気アーク溶接機。
【請求項４０】
該第二の処理がパルス溶接処理である請求項３７の電気アーク溶接機。
【請求項４１】
該第二の処理がＳＴＴ処理である請求項３７の方法。
【請求項４２】
該第二の処理がショート・アークＣＶ処理である請求項３７の方法。
【請求項４３】
該第一の処理がＣＶスプレイ処理である請求項３７の方法。
【請求項４４】
該第二の処理がパルス溶接処理である請求項３７の方法。
【請求項４５】
該第一の処理が高温処理である請求項３７の方法。
【請求項４６】
該第二の処理が低温処理である請求項３７の方法。
【請求項４７】
該第一の処理が電極正処理であり、該第二の処理が電極負処理である請求項３７の方法。
【請求項４８】
該予め選択された数が、該第一の処理と第二の処理との両者の処理中本質的に同じである請求項３７の方法。
【請求項４９】
素材とワイヤフィーダによって該素材に向かって進む溶接ワイヤとの間のギャップの間で第一の電流波形を使用する第一の溶接処理または第二の電流波形を使用する第二の溶接処理を生ずるためのコントローラを備えた高速スイッチング電源を含み、且つ第二の溶接処理がＳＴＴ処理又はショート・アークＣＶ処理である電気アークＧＭＡＷ溶接機を操作する方法であって、該方法が
（ａ）該第一の溶接処理と該第二の溶接処理との間をシフトし、
（ｂ）該第一及び第二の処理の該波形をカウントし、そして
（ｃ）処理されつつある該溶接処理の該波形のカウントが該溶接処理に関する予め選択された数に達したとき処理されつつある処理から他の溶接処理にシフトする
ことを特徴とする電気アークＧＭＡＷ溶接機を操作する方法。
【請求項５０】
該第一の溶接処理が低温ＳＴＴ処理である請求項４９の方法。
【請求項５１】
該第二の溶接処理が高温ＳＴＴ処理である請求項４９の方法。
【請求項５２】
該第一の処理がＣＶスプレイ処理である請求項４９の方法。
【請求項５３】
該第一の処理が閉じた電源フィードバックループを備えた溶接処理である請求項４９の方法。
【請求項５４】
該第一の処理が高温処理である請求項４９の方法。
【請求項５５】
該第二の処理が低温処理である請求項４９の方法。
【請求項５６】
該予め選択された数が、該第一の処理と第二の処理との両者の処理中本質的に同じである請求項４９の方法。
【請求項５７】
素材とワイヤフィーダによって該素材に向かって進む溶接ワイヤとの間のギャップの間で第一の電流波形を使用する第一の溶接処理または第二の電流波形を使用する第二の溶接処理を生ずるためのコントローラを備えた高速スイッチング電源を含み、且つ第一の溶接処理が閉じた電源フィードバックループを備えた高温溶接処理である電気アークＧＭＡＷ溶接機を操作する方法であって、該方法が
（ａ）該第一の溶接処理と該第二の溶接処理との間をシフトし、
（ｂ）該第一及び第二の処理の該波形をカウントし、そして
（ｃ）処理されつつある該溶接処理の該波形のカウントが該溶接処理に関する予め選択された数に達したとき処理されつつある処理から他の溶接処理にシフトする
ことを特徴とする電気アークＧＭＡＷ溶接機を操作する方法。
【請求項５８】
該第一の溶接処理が低温ＳＴＴ処理である請求項５７の方法。
【請求項５９】
該第二の溶接処理が高温ＳＴＴ処理である請求項５７の方法。
【請求項６０】
該第一の処理がパルス溶接処理である請求項５７の方法。
【請求項６１】
該第二の処理がＳＴＴ処理である請求項５７の方法。
【請求項６２】
該第二の処理がショート・アークＣＶ処理である請求項５７の方法。
【請求項６３】
該第一の処理がＣＶスプレイ処理である請求項５７の方法。
【請求項６４】
該第二の処理がパルス溶接処理である請求項５７の方法。
【請求項６５】
該第一の処理が高温処理である請求項５７の方法。
【請求項６６】
該第二の処理が低温処理である請求項５７の方法。
【請求項６７】
該第一の処理が電極正処理であり、該第二の処理が電極負処理である請求項５７の方法。
【請求項６８】
該予め選択された数が、該第一の処理と第二の処理との両者の間に本質的に同じである請求項５７の電気アーク溶接機。
【請求項６９】
電極と素材間の溶接処理用の電流波形をつくるための高速スイッチングインバータに基づく電源、ここで該波形は選択されたインプット回路に従ってパルス幅モジュレータから波形発生器への一連の電流制御パルスを制御するアウトプットをもつ波形発生器でつくられ、該パルスは該波形のリアルタイム電流をきめる幅をもつ、及び該選択されたインプット回路をスイッチが信号を受け次第２つの溶接処理間で変化させるスイッチを含むことを特徴とする電気アーク溶接機。
【請求項７０】
該スイッチがサイクルを計量するカウンタに応答して操作される請求項６９の電気アーク溶接機。
【請求項７１】
該スイッチが読み取った溶接パラメータに応答して操作される請求項６９の電気アーク溶接機。
【請求項７２】
該スイッチがセンサーでモニタされたアーク電圧レベルに応答して操作される請求項６９の電気アーク溶接機。
【請求項７３】
該スイッチがタイマーに応答して操作される請求項６９の電気アーク溶接機。
【請求項７４】
電極と素材間の溶接処理用の電流波形をつくるための高速スイッチングインバータに基づく電源、ここで該波形はパルス幅モジュレータからの一連の電流制御パルスによってつくられ、該パルスは該波形のリアルタイム電流をきめる幅をもつ、及び信号を受け次第２つの溶接処理間で変化させるスイッチを含むことを特徴とする電気アーク溶接機。
【請求項７５】
該スイッチがサイクルを計量するカウンタに応答して操作される請求項７４の電気アーク溶接機。
【請求項７６】
該スイッチが読み取った溶接パラメータに応答して操作される請求項７４の電気アーク溶接機。
【請求項７７】
該スイッチがセンサーでモニタされたアーク電圧レベルに応答して操作される請求項７４の電気アーク溶接機。
【請求項７８】
該スイッチがタイマーに応答して操作される請求項７４の電気アーク溶接機。
【請求項７９】
電極と素材間の溶接処理用の電流波形をつくるための高速スイッチングインバータに基づく電源、ここで該波形は選択されたインプット回路に従ってパルス幅モジュレータから波形発生器への一連の電流制御パルスを制御するアウトプットをもつ波形発生器でつくられる、及び該選択されたインプット回路をスイッチが信号を受け次第２つの溶接処理間で変化させるスイッチを含むことを特徴とする電気アーク溶接機。
【請求項８０】
該スイッチがサイクルを計量するカウンタに応答して操作される請求項７９の電気アーク溶接機。
【請求項８１】
該スイッチが読み取った溶接パラメータに応答して操作される請求項７９の電気アーク溶接機。
【請求項８２】
該スイッチがセンサーでモニタされたアーク電圧レベルに応答して操作される請求項７９の電気アーク溶接機。
【請求項８３】
該スイッチがタイマーに応答して操作される請求項７９の電気アーク溶接機。
【請求項８４】
第一の電流波形を用いるパルス波溶接処理及び第二の電流波形を用いるショートをクリアするための溶接処理とを発生するコントローラを備えた高速スイッチング電源、アーク電圧がショートを示す値より低いときショート信号を発生するように作動する回路、並びに該ショート信号の発生により生ずる処理シフト信号によって該パルス波処理から該ショートクリア処理に該コントローラをシフトするスイッチを含むことを特徴とする電気アーク溶接機。
【請求項８５】
該ショート信号が所定時間保持されたときだけ該シフト信号を発生するタイマーを含む請求項８４の電気アーク溶接機。
【請求項８６】
該時間が１．０ｍ秒以上である請求項８４の電気アーク溶接機。
【請求項８７】
該時間が０．２−０．５ｍ秒の範囲によるセット時間よりも長い請求項８４の電気溶接機。